(57)【特許請求の範囲】
【請求項１】
液透過性の表面層、液不透過性の防漏層及び両層間に介在された液保持性の吸収層を有する吸収性物品において、
前記吸収層は、粒径５０〜５００μｍの粒子を９０％以上含有する粒子状の活性炭を含有しており、
前記表面層と前記吸収層との間に、液透過性の隠蔽層が配設されており、
前記吸収性物品を前記表面層側から測定したＬ値が、前記吸収層のＬ値より少なくとも５ポイント以上大きく、
前記隠蔽層は、フィラーを含有し、該フィラーは、酸化チタン、炭酸カルシウム、カオリン及びタルクから選択される白色系の無機物からなり、該フィラーの含有率は、該隠蔽層中１〜５重量％であり、且つ該フィラーは、該隠蔽層の平面方向及び厚み方向に分散しており、
前記吸収層は、繊維ウエブに前記活性炭と吸水性ポリマーとが保持された構成を有し、該繊維ウエブの前記隠蔽層側の表面には、該活性炭及び該吸水性ポリマーの何れもが実質的に含まれておらず、
前記活性炭は、前記吸収層中の含有率が１０〜５０重量％であり且つ該吸収層中の坪量が２０〜１００ｇ／ｍ2であり、
前記吸収層中の前記活性炭と前記吸水性ポリマーの重量比が１／３〜３／１である吸収性物品。
【請求項２】
前記隠蔽層の通液速度は、３０秒以下である請求項１に記載の吸収性物品。
【請求項３】
前記隠蔽層が、前記表面層及び／又は前記吸収層と実質的に一体化されている請求項１又は２に記載の吸収性物品。
【発明の詳細な説明】
【０００１】
【発明の属する技術分野】
本発明は、悪臭の消臭性能に優れ、外観にも優れた生理用ナプキン等の吸収性物品に関する。
【０００２】
【従来の技術及び発明が解決しようとする課題】
従来、生理用ナプキンや使い捨ておむつ、失禁パッド等の吸収性物品において、経血や尿等の体液からの悪臭の発生を防止するために、体液を吸収保持する吸収体に活性炭を含有させる技術が知られている。
しかし、従来の吸収性物品においては、物品の外観に活性炭の色が現れるため、見映えが悪く、使用者に不快感を与える場合があった。尚、活性炭の使用量を減らすことが考えられるが、消臭性能に優れた吸収性物品を安価に提供することが困難となる。
【０００３】
従って、本発明の目的は、経血、尿等が発する悪臭を消臭する性能に優れており、見映えの良い吸収性物品を提供することにある。
【０００４】
【課題を解決するための手段】
本発明は、液透過性の表面層、液不透過性の防漏層及び両層間に介在された液保持性の吸収層を有する吸収性物品において、前記吸収層は、活性炭を含有しており、前記表面層と前記吸収層との間に、液透過性の隠蔽層が配設されており、前記吸収性物品を前記表面層側から測定したＬ値が、前記吸収層のＬ値より少なくとも５ポイント以上大きい吸収性物品を提供することにより、上記の目的を達成したものである。
【０００５】
【発明の実施の形態】
以下、本発明を、その好ましい実施形態に基づき図面を参照しながら説明する。  吸収性物品としての生理用ナプキン１は、図１及び２に示すように、実質的に縦長の形状をしており、液透過性の表面層としての表面シート２、液不透過性の防漏層としての裏面シート３、及び両層間に介在された液保持性の吸収層としての吸収体４を有している。
【０００６】
吸収体４は、図１に示すように、平面視矩形状の形態を有している。表面シート２及び裏面シート３は、共にその外形寸法が吸収体４より大きく、表面シート２は吸収体４の肌当接面側を覆うように配され、裏面シート３は吸収体４の非肌当接面側を覆うように配され、吸収体４の外周縁部よりも外方に延出された部分において互いに熱融着されて接合されている。
【０００７】
而して、吸収体４は、活性炭４１を含有している。また、表面シート２と吸収体４との間には、液透過性の隠蔽層としての隠蔽シート５が配設されている。
隠蔽シート５は、吸収体４に含有されている活性炭４１の色（黒色）が、肌当接面側から透けて見えることを防止し、あるいは、その見える程度を減少させる機能を有するシート状物で、吸収体４の肌当接面側の全面を覆うように、表面シート２の非肌当接面側に配されている。
【０００８】
そして、生理用ナプキン１を表面シート２側から測定したＬ値（以下、肌当接面Ｌ値という）は、吸収体４のＬ値（以下、吸収体Ｌ値という）より少なくとも５ポイント以上大きい。
【０００９】
ここで、吸収体Ｌ値及び肌当接面Ｌ値は、それぞれの以下のようにして測定される。
吸収体Ｌ値：日本電色工業株式会社製のスペクトロカロリーメーター（色差計、タイプ「ＳＸ−Σ８０」）を用い、ハンターＬａｂ表色系のＬ値を測定することにより得た。測定は、吸収体４の表面シート２側の面について行った。
肌当接面Ｌ値：吸収体Ｌ値の測定と同じ装置を用い、表面シート２側からハンターＬａｂ表色系のＬ値を測定することにより得た。尚、Ｌ値は、大きい（高い）値である程、相対的に白く見えることから活性炭の黒っぽい色が見え難い尺度として用いた。また、裏面シート３やずれ止め用の粘着剤６等、吸収体４の非肌当接面側に配される構成部材の有無については、吸収体Ｌ値の測定と肌当接面Ｌ値の測定とで条件を統一する。
【００１０】
肌当接面Ｌ値が、吸収体Ｌ値より５ポイント以上大きいと、表面シート２の肌当接面側から吸収体４の活性炭４１による黒〜灰色に見える程度が充分に小さくなり、生理用ナプキンの見映えないし外観が大変良くなる。一方、肌当接面Ｌ値が、吸収体Ｌ値より大きいが、その差が５ポイント以上未満である場合には、吸収体４の活性炭４１が見える程度が大きく、見映えが悪く、使用者が不安感や不潔感を感じ易くなる。
【００１１】
肌当接面Ｌ値が、吸収体Ｌ値に対して５ポイント以上、好ましくは１０〜２０ポイント大きいという条件（以下、黒色隠蔽条件という）を、優れた吸収性能や優れた消臭性能を損なわせることなく満足させる観点から、吸収体Ｌ値は、６５〜８５であることが好ましく、肌当接面Ｌ値は、８５〜９５であることが好ましい。
【００１２】
以下、本実施形態の生理用ナプキン１の好ましい構成について更に説明する。隠蔽シート５は、生理用ナプキン１に優れた吸収性能を与える観点及び活性炭４１の黒色を効果的に隠蔽する観点から、その通液速度が、３０秒以下、特に１０〜２０秒であることが好ましい。
ここで、隠蔽シート（隠蔽層）５の通液速度は、以下に示す方法により測定される。
即ち、８５ｗｔ％に調整されたグリセリン水溶液を準備し、内径が共に３５ｍｍの一対の円筒形のガラス器具間に隠蔽シートを挟み込んで該隠蔽シートを水平に固定する。そして、上側のガラス器具内に前記グリセリン水溶液１０ｇ注ぐ。グリセリン水溶液の注入を開始してから、その全量が該隠蔽シートを通過するまでの時間を計測し、この通過に要した時間を、通液速度（秒）とした。尚、全量が通過した時点は、シート上面から液が無くなった時点をいい、液が層間にある状態はまだ全量が通過していないと判断した。
【００１３】
隠蔽シート５の形成材料としては、不織布、紙、有孔シート等を挙げることができるが、生理用ナプキン１に優れた吸収性能を与える観点及び活性炭４１の黒色を効果的に隠蔽する観点から、メルトブロー不織布や、有孔シートと不織布との複合シート等が好ましく、その坪量は２〜５０ｇ／ｍ2 、特に５〜３０ｇ／ｍ2 であることが好ましい。
【００１４】
また、同様の観点から、隠蔽シート５は、フィラーを含有していることが好ましい。隠蔽シート５に含有させるフィラーとしては、白色系の無機物が好ましく、特に酸化チタン、炭酸カルシウム、カオリン、タルクが好ましく、その場合におけるフィラーの含有率は、隠蔽シート５中、０．１〜８０重量％、特に１〜５重量％が好ましい。また、フィラーは、隠蔽シート５の平面方向及び厚み方向に分散されて存在することが好ましい。
【００１５】
使い捨ておむつ１における隠蔽シート５は、下面に塗布された接着剤（図示せず）を介して吸収体４と実質的に一体化されている。ここで、隠蔽シート５が吸収体４と「実質的に一体化されている」とは、物理的あるいは化学的な手段を用いて、隠蔽シートと吸収体の少なくとも一部の間に隙間がないことを意味する。隠蔽シート５が表面シート２に実質的に一体化されているという場合も同様である。
このように、隠蔽シート５が表面シート２及び／又は吸収体４と実質的に一体化されていることにより、経血、尿等をすばやく効率良く吸収体に伝達し、十分な消臭能を発現することができる。
【００１６】
表面シート２としては、生理用ナプキン等の吸収性物品において通常用いられるものを用いることができるが、生理用ナプキン１に優れた吸収性能を与える観点及び活性炭４１の黒色を効果的に隠蔽する観点から、表面シート２は、隠蔽シート５の通液速度と同様にして測定した通液速度が、３０秒以下が好ましく、特に１０〜２０秒が好ましい。また、表面シート２の形成材料は、有孔シートや不織布が好ましく、その坪量は５〜３０ｇ／ｍ2 が好ましい。
【００１７】
また、表面シート２及び隠蔽シート５を重ね合わて、上記の方法により測定した通液速度は、６０秒以下、特に１０〜３０秒であることが好ましい。
【００１８】
吸収体４は、吸収体Ｌ値を抑制して上記黒色隠蔽条件を容易に満たし得るようにする観点、及び生理用ナプキン１に優れた消臭性能を与える観点から、吸収体４中における活性炭４１の含有率が、５〜８０重量％、特に１０〜５０重量％であることが好ましい。また、活性炭４１の坪量（散布坪量）は、３〜５００ｇ／ｍ2 、特に２０〜１００ｇ／ｍ2 であることが好ましい。
【００１９】
本実施形態の生理用ナプキン１における吸収体４は、図２に示すように、活性炭４１と吸水性ポリマー４２とを含有するものであり、具体的には、繊維ウエブ４３の繊維間間隙に、活性炭４１と吸水性ポリマー４２と保持されているシート状の吸収シートからなるものである。吸収体４においては、活性炭４１が、吸水性ポリマー４２を介して繊維ウエブ４３を構成する繊維に固定されており、活性炭４１とポリマー４２とがシート状の吸収体４内において混在されている。また、吸収体４は、湿潤した下層繊維ウエブ上に吸水性ポリマー４２を散布すると共に、該散布と同時か又はその前後に活性炭４１を散布し、その上に乾燥した上層繊維ウエブを重ね合わせ、乾燥により上下層繊維ウエブを一体化させることにより得られたものであり、吸収体４における繊維ウエブ４３の表面には、活性炭４１及びポリマー４２の何れもが実質的に含まれていない。
【００２０】
活性炭４１と吸水性ポリマー４２との重量比は、前者／後者の比が１／１０〜１０／１、特に１／３〜３／１であることが好ましい。
【００２１】
活性炭４１としては、従来、消臭に用いられている各種の活性炭を用いることができるが、粒子状の活性炭であって、粒径５０〜５００μｍ、特に１５０〜４００μｍの粒子を９０％以上含有するものが好ましい。
【００２２】
吸水性ポリマー４２としては、従来公知の各種のものを用いることができるが、自重の２０倍以上の液体を吸収・保持でき且つゲル化し得るものが好ましい。吸水性ポリマー４２の好ましい例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００２３】
繊維ウエブ４３を構成する繊維としては、例えば木材パルプや綿等の天然セルロース、レーヨンやキュプラ等の再生セルロース等のセルロース系繊維を用いることができる。また、熱可塑性繊維のフィラメントやステープルファイバー等を用いることもできる。尚、繊維ウエブとは、繊維の機械的絡み合い、繊維同士の接着や融着等により形成されたシート状物を意味し、その例としては紙、不織布、それらの複合体等が挙げられる。
【００２４】
表面シート２として不織布等の繊維シートを用いる場合の構成繊維としては、従来、吸収性物品の表面シートに用いられている各種の繊維を挙げることができる。また、隠蔽シート５として不織布、紙等の繊維シートを用いる場合の構成繊維としては、従来、吸収性物品の表面シートや吸収体に用いられている各種の繊維を挙げることができる。尚、隠蔽シート５は、表面シート２と同一材料からなるものでも良いが、表面シート２と異なる形成材料からなることが好ましい。
裏面シート３の形成材料としては、それぞれ、生理用ナプキン等の吸収性物品において通常用いられるものを特に制限なく用いることができる。
【００２５】
生理用ナプキン１における裏面シート３の肌当接面側には粘着剤６を介して剥離紙７が粘着されており、本生理用ナプキン１は、剥離紙７を剥離してショーツに粘着されて、従来の生理用ナプキンと同様に使用される。
【００２６】
尚、隠蔽シート５は、表面シート２に接着剤や熱融着等により接合されて表面シート２と一体化されていても良い。また、吸収体４は、フラッフパルプと高吸収性ポリマーとの混合物を吸収紙で包装してなる吸収体等であっても良い。また、表面シート２及び隠蔽シート５は、それぞれ二層以上のシートからなる積層シートであっても良い。
また、本発明は、生理用ナプキンの他、使い捨ておむつ、失禁パッド、母乳パッド、パンティライナー、ペット用シート等の吸収性物品に適用可能である。
【００２７】
【発明の効果】
本発明によれば、吸収した液から発生する悪臭の消臭性能に優れ、見映えの良い生理用ナプキン等の吸収性物品を提供することができる。尚、本発明の吸収性物品は、消臭剤として活性炭を用いているため、多様な悪臭物質に対する消臭性能に優れており、また、比較的安価に製造可能である。
【図面の簡単な説明】
【図１】図１は、本発明の吸収性物品の一実施形態としての生理用ナプキンを示す斜視図である。
【図２】図２は、図１のＸ−Ｘ線断面図である。
【符号の説明】
１  吸収性物品（生理用ナプキン）
２  表面シート
３  裏面シート
４  吸収体
４１  活性炭
４２  吸水性ポリマー
５  隠蔽シート
【図１】
0004346165.tif 000002
【図２】
0004346165.tif 000003